(57)【要約】【課題】利用者にＳＮＳ映えした写真を撮影する機会を与える。【解決手段】第１の板状部材は、利用者を被写体として撮影した撮影画像をシール紙に印刷するプリンタから排出されたシール紙を利用者に提供するシール取り出し口を有し、第２の板状部材は、第１の板状部材の上方に設けられ、シール取り出し口と同じ側の面に発光装飾部を有し、発光装飾部を発光させる発光部を内蔵する。本技術は、写真シール作成装置に適用することができる。【選択図】図１２
2019184964.tif 000002
【特許請求の範囲】
【請求項１】
利用者を被写体として撮影した撮影画像をシール紙に印刷するプリンタから排出された前記シール紙を前記利用者に提供するシール取り出し口を有する第１の板状部材と、
前記第１の板状部材の上方に設けられ、前記シール取り出し口と同じ側の面に発光装飾部を有する第２の板状部材と
を備え、
前記第２の板状部材は、前記発光装飾部を発光させる発光部を内蔵する
写真作成ゲーム機。
【請求項２】
前記発光装飾部は、その中心が、少なくとも前記筐体の高さの半分より上の位置になるように設けられる
請求項１に記載の写真作成ゲーム機。
【請求項３】
前記発光装飾部は、その中心が、前記利用者の顔の高さ近傍の位置になるように設けられる
請求項２に記載の写真作成ゲーム機。
【請求項４】
全体として直方体形状の筐体を有し、
前記第１の板状部材と前記第２の板状部材は、前記筐体の第１の側面を構成する
請求項１乃至３のいずれかに記載の写真作成ゲーム機。
【請求項５】
前記第１の板状部材と前記第２の板状部材は、面一または略面一に構成され、
前記発光装飾部は、前記第２の板状部材から突出することなく構成される
請求項４に記載の写真作成ゲーム機。
【請求項６】
前記発光装飾部は、前記第２の板状部材と略面一に構成される
請求項５に記載の写真作成ゲーム機。
【請求項７】
前記筐体の前記第１の側面と隣り合う第２の側面に、撮影に関する選択操作を前記利用者に行わせるための事前選択部を備え、
前記事前選択部は、前記第２の側面から突出することなく構成される
請求項４乃至６のいずれかに記載の写真作成ゲーム機。
【請求項８】
前記第１の板状部材の左右に隣接して設けられる第３の板状部材および第４の板状部材をさらに備え、
前記筐体の前記第１の側面全体は、前記第１乃至第４の板状部材で構成される
請求項４乃至７のいずれかに記載の写真作成ゲーム機。
【請求項９】
前記筐体の前記第１の側面全体は、前記第１および第２の板状部材のみで構成される
請求項４乃至７のいずれかに記載の写真作成ゲーム機。
【請求項１０】
前記発光装飾部は、前記第２の板状部材の前記シール取り出し口と同じ側の面を構成する板金に形成された所定の形状の開口部が、透明または半透明のアクリル板により前記板金の背面から覆われることで構成される
請求項１乃至９のいずれかに記載の写真作成ゲーム機。
【請求項１１】
少なくとも前記第２の板状部材の前記シール取り出し口と同じ側の面の表面は、マット塗装されている
請求項１乃至１０のいずれかに記載の写真作成ゲーム機。
【請求項１２】
前記発光部は、ＬＥＤランプで構成される
請求項１乃至１１のいずれかに記載の写真作成ゲーム機。
【請求項１３】
利用者を被写体として撮影した撮影画像をシール紙に印刷するプリンタから排出された前記シール紙を前記利用者に提供するシール取り出し口と、前記シール取り出し口の上方で、前記シール取り出し口と同じ側の面に設けられた発光装飾部とを有する板状部材
を備え、
前記板状部材は、前記発光装飾部を発光させる発光部を内蔵する
写真作成ゲーム機。
【発明の詳細な説明】
【技術分野】
【０００１】
本技術は、写真作成ゲーム機に関し、特に、利用者にＳＮＳ映えした写真を撮影する機会を与えることができるようにする写真作成ゲーム機に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
通常、写真シール機の外装（筐体）には、利用者が印刷済みのシール紙を取り出すためのシール取り出し口が設けられたり、筐体内部に設けられている撮影空間や編集空間と筐体外部の空間とを分けるカーテンが取り付けられたりする。
【０００４】
例えば、特許文献１には、写真シール機の筐体において、シール取り出し口が設けられている面にモニタを設けた写真シール機が開示されている。
【０００５】
また、特許文献２には、写真シール機の筐体において注目を集めやすい部分（例えば、撮影空間の出入り口の上方）に、広告が印刷されたＰＯＰ板を設置することが開示されている。
【０００６】
一方で、近年、撮影者が手に持ったカメラにより自分自身を被写体として撮影する、いわゆる「自分撮り」が流行している。この自分撮りにおいては、特に、スマートフォンなどのカメラ付き携帯電話機がよく用いられ、撮影者は、様々な場所で簡単に自分撮りを行うことができる。
【０００７】
さらに、自分撮りによって得られた画像を、ＳＮＳ（Social Networking Service）などのウェブサイトにアップロードして他人に公開することも流行している。このとき、多くの人の目を引くような写真写りの良い画像、いわゆるＳＮＳ映えした画像をアップロードして、他人から高評価を得ようとするものがいる。
【０００８】
写真シール機の筐体に何らかの装飾が施されている場合、シール紙の印刷待ち時間などに、その写真シール機を背景に自分撮りを行う利用者があらわれる可能性がある。
【０００９】
アミューズメント施設に設置される写真シール機は、その施設の通路側に、シール取り出し口が設けられている面を向けて設置されることが多い。そのため、写真シール機を背景に自分撮りを行う利用者は、シール取り出し口が設けられている面を背景に自分撮りを行うことが想定される。
【先行技術文献】
【特許文献】
【００１０】
【特許文献１】特開２０１２−２３３９４７号公報
【特許文献２】特開２０１１−１８０３２０号公報
【発明の概要】
【発明が解決しようとする課題】
【００１１】
しかしながら、特許文献１の写真シール機のように、シール取り出し口が設けられている面にモニタが設けられている場合、自分撮りによって得られた画像にそのモニタが写り込んでしまう。この場合、モニタ部分にモアレ（干渉縞）が発生し、画像の仕上がりが悪くなってしまう。
【００１２】
また、特許文献２の写真シール機のようなＰＯＰ板には、特段、写真写りが良いとはいえない広告が印刷されているにすぎない。そのため、そのＰＯＰ板を背景に自分撮りを行ったとしても、自分撮りによって得られた画像は、ＳＮＳ上で他人から高評価を得られるようなものにはならない。
【００１３】
本技術は、このような状況に鑑みてなされたものであり、利用者にＳＮＳ映えした写真を撮影する機会を与えることができるようにするものである。
【課題を解決するための手段】
【００１４】
本技術の第１の側面の写真作成ゲーム機は、利用者を被写体として撮影した撮影画像をシール紙に印刷するプリンタから排出された前記シール紙を前記利用者に提供するシール取り出し口を有する第１の板状部材と、前記第１の板状部材の上方に設けられ、前面前記シール取り出し口と同じ側の面に発光装飾部を有する第２の板状部材とを備え、前記第２の板状部材は、前記発光装飾部を発光させる発光部を内蔵する。
【００１５】
本技術の第１の側面においては、利用者を被写体として撮影した撮影画像をシール紙に印刷するプリンタから排出された前記シール紙を前記利用者に提供するシール取り出し口を有する第１の板状部材と、前記第１の板状部材の上方に設けられ、前面前記シール取り出し口と同じ側の面に発光装飾部を有する第２の板状部材とが設けられ、前記第２の板状部材には、前記発光装飾部を発光させる発光部が内蔵される。
【００１６】
本技術の第２の側面の写真作成ゲーム機は、利用者を被写体として撮影した撮影画像をシール紙に印刷するプリンタから排出された前記シール紙を前記利用者に提供するシール取り出し口と、前記シール取り出し口の上方で、前記シール取り出し口と同じ側の面に設けられた発光装飾部とを有する板状部材を備え、前記板状部材は、前記発光装飾部を発光させる発光部を内蔵する。
【００１７】
本技術の第２の側面においては、利用者を被写体として撮影した撮影画像をシール紙に印刷するプリンタから排出された前記シール紙を前記利用者に提供するシール取り出し口と、前記シール取り出し口の上方で、前記シール取り出し口と同じ側の面に設けられた発光装飾部とを有する板状部材が設けられ、前記板状部材は、前記発光装飾部を発光させる発光部が内蔵される。
【発明の効果】
【００１８】
本技術によれば、利用者にＳＮＳ映えした写真を撮影する機会を与えることが可能となる。
【００１９】
なお、ここに記載された効果は必ずしも限定されるものではなく、本開示中に記載されたいずれかの効果であってもよい。
【図面の簡単な説明】
【００２０】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニット側面パネルの構成例を示す図である。
【図９】写真シール作成装置の構成例を示すブロック図である。
【図１０】写真シール作成装置の機能構成例を示すブロック図である。
【図１１】写真シール作成ゲーム処理について説明するフローチャートである。
【図１２】写真シール作成装置の外装について説明する図である。
【図１３】発光装飾部の詳細な構造について説明する図である。
【図１４】自分撮りを行った場合の撮影範囲について説明する図である。
【図１５】背面パネル側の外観について説明する図である。
【図１６】カーテンの固定について説明する図である。
【図１７】シール取り出し口の構成について説明する図である。
【図１８】写真シール作成装置の外装のデザインについて説明する図である。
【図１９】写真シール作成装置の外装のデザインについて説明する図である。
【図２０】発光装飾部の配置の他の例を示す図である。
【図２１】発光装飾部の配置のさらに他の例を示す図である。
【図２２】発光装飾部の配置のさらに他の例を示す図である。
【図２３】編集ユニット側面パネルの他の構成例を示す図である。
【図２４】編集ユニット側面パネルのさらに他の構成例を示す図である。
【発明を実施するための形態】
【００２１】
以下に、本技術を実施するための形態（以下、実施の形態という）について説明する。
【００２２】
＜写真シール作成装置の外観＞
図１および図２は、写真シール作成装置１の外観の構成例を示す斜視図である。
【００２３】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００２４】
写真シール作成装置１の利用者は、主に女子高校生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００２５】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００２６】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２７】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて対向して設置される。撮影部２１と背景部２２の間に形成される空間が、撮影処理が行われる撮影空間となる。
【００２８】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２９】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００３０】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００３１】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａと略同一の横幅の板状の部材である。側面パネル５２Ｂは、背面パネル５１の右端に取り付けられ、側面パネル４１Ｂと略同一の横幅の板状の部材である。
【００３２】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００３３】
撮影空間の床には、例えば樹脂製の床シート２７が敷かれる。床シート２７は、デザイン性の高いピンク色一色に色付けされている。
【００３４】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００３５】
側面パネル４１Ａ、連結部２３Ａ、および側面パネル５２Ａによって形成される出入り口には、連結部２３Ａの天面から垂下するようにして、図示せぬ出入り口カーテンが取り付けられる。同様に、側面パネル４１Ｂ、連結部２３Ｂ、および側面パネル５２Ｂによって形成される出入り口にも、連結部２３Ｂの天面から垂下するようにして、図示せぬ出入り口カーテンが取り付けられる。
【００３６】
撮影空間の上方には、撮影部２１の正面、連結部２３Ａ、および連結部２３Ｂに囲まれた天井が形成される。その天井には、例えば樹脂製の天井シート２４が設けられる。天井シート２４の一端が連結部２３Ａに固定され、他端が連結部２３Ｂに固定される。
【００３７】
天井シート２４の一部に、通気孔を設けてもよい。例えば、天井シート２４の両端（連結部２３Ａ側と連結部２３Ｂ側）に四角形状で示された部分を通気孔としてもよい。また、四角形状で示された部分は、光が入射する透明な部材で形成されていてもよい。
【００３８】
編集ユニット１２は、撮影画像に編集を施すための装置である。編集ユニット１２は、一方の側面が撮影部２１の正面パネル４２に接するようにして、撮影ユニット１１に連結している。
【００３９】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００４０】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。
【００４１】
編集ユニット１２の編集ユニット１２の左側面（撮影部２１の正面パネル４２とは反対側の側面）には、矩形形状を有する板状の部材である編集ユニット側面パネル６５が設けられる。編集ユニット側面パネル６５は、例えば１０ｃｍ程度の厚さをもった板状の直方体形状に形成されている。
【００４２】
編集ユニット側面パネル６５の、図１に示される編集ユニット１２の正面側の側面（縁面）は、側面パネル４１Ａおよび側面パネル５２Ａと、ほぼ同一平面をなす。また、編集ユニット側面パネル６５の、図２に示される編集ユニット１２の背面側の側面（縁面）は、側面パネル４１Ｂおよび側面パネル５２Ｂと、ほぼ同一平面をなす。さらに、編集ユニット側面パネル６５の上面（天面）は、撮影空間の天井を構成する天井シート２４と、ほぼ同一平面をなす。
【００４３】
このような構造により、写真シール作成装置１は、全体として直方体形状の筐体を有するように構成される。
【００４４】
編集ユニット１２の上方にはカーテンフレーム２６Ａ，２６Ｂが取り付けられる。互いに平行に設けられるカーテンフレーム２６Ａとカーテンフレーム２６Ｂの一端は、連結部２３Ａと連結部２３Ｂにそれぞれ固定される。カーテンフレーム２６Ａとカーテンフレーム２６Ｂの他端は、編集ユニット側面パネル６５の両側面の上端にそれぞれ接合される。
【００４５】
カーテンフレーム２６Ａ，２６Ｂには、編集ユニット１２の正面前方の空間と背面前方の空間が外から見えないように、図示せぬカーテンが取り付けられる。そのカーテン、撮影部２１の正面パネル４２、および編集ユニット側面パネル６５により囲まれる編集ユニット１２の正面前方の空間と背面後方の空間が、利用者が編集作業を行う編集空間となる。
【００４６】
後述するが、編集ユニット側面パネル６５には、印刷済みのシール紙を利用者に提供するシール取り出し口が設けられる。編集ユニット側面パネル６５前方の空間が、印刷済みのシール紙が提供されるのを利用者が待つ印刷待ち空間となる。
【００４７】
そのため、利用者が編集空間から印刷待ち空間へ移動する際の安全性を考慮して、編集ユニット側面パネル６５の両側面と編集空間側の面とがなす角部は、面取り（Ｒ面取り）されている。仮に、その角部が面取りされていない場合、利用者が編集空間から印刷待ち空間へ移動する際にその角部に衝突したときに、利用者がけがをするおそれがある。そこで、編集ユニット側面パネル６５の両側面と編集空間側の面とがなす角部を面取りすることで、利用者がその角部に衝突した場合であっても、けがをしないようになされている。
【００４８】
＜利用者の移動について＞
ここで、写真シール作成ゲームの流れと、それに伴う利用者の移動について説明する。
【００４９】
図３は、写真シール作成装置１を上から見た平面図である。
【００５０】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００５１】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００５２】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００５３】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００５４】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００５５】
印刷待ち空間Ａ３に移動した利用者は、印刷が終わるのを待つ。印刷が終了すると、利用者は、編集ユニット側面パネル６５に設けられた排出口から排出されたシール紙を受け取り、一連の写真シール作成ゲームを終える。
【００５６】
次に、各装置の構成について説明する。
【００５７】
＜事前選択部の構成＞
図４は、事前選択部２０の構成例を示す図である。
【００５８】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影空間で行われる撮影に関するコースの選択などに用いられる画面が表示される。
【００５９】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００６０】
なお、事前選択部２０として、側面パネル４１Ａに設けられるタッチパネルモニタ７１、スピーカ７２、および硬貨投入返却口７３は、いずれも側面パネル４１Ａの表面から突出しないようにして設けられる。
【００６１】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００６２】
正面パネル４２の中央よりやや上側には、カメラユニット８１が設けられる。カメラユニット８１の正面には、カメラ９１とタッチパネルモニタ９２が設けられる。
【００６３】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。
【００６４】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００６５】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００６６】
カメラユニット８１の上方には、曲面の発光面を利用者に向けた上ストロボユニット８２が設置される。上ストロボユニット８２は、利用者の正面上方から、利用者の顔および上半身に光を照射する。上ストロボユニット８２の発光面の内側には、常時点灯する電球と、撮影タイミングで発光するストロボ発光管が配置されている。
【００６７】
カメラユニット８１と上ストロボユニット８２との間には、下側に弧を描く半月状の発光面を有するカメラ上ストロボ８３が設けられる。カメラ上ストロボ８３は、正面パネル４２に埋め込まれるようにして形成されている。
【００６８】
カメラユニット８１の下方には、利用者の下半身および足元に光を照射する足元ストロボユニット８４が設けられる。足元ストロボユニット８４の発光面は、側面パネル４１Ａと側面パネル４１Ｂとの間に隙間なく形成される。足元ストロボユニット８４の発光面の内側にも、常時点灯する電球と、撮影タイミングで発光するストロボ発光管が配置されている。
【００６９】
上述したように、上ストロボユニット８２および足元ストロボユニット８４は、常時点灯する電球と、撮影タイミングで発光するストロボ発光管を内蔵している。これにより、上ストロボユニット８２および足元ストロボユニット８４は、撮影空間を明るくして利用者の操作性や安全性を確保するために、撮影空間内を常時照らすとともに、撮影画像の見栄えをより良くするために、撮影タイミングでストロボ発光し、被写体となる利用者に光を照射する。
【００７０】
なお、正面パネル４２の例えば天井付近に、スピーカが設けられ、撮影処理の案内音声、BGM、効果音などが出力される構成としてもよい。また、スピーカは、正面パネル４２ではなく、後述する背景部２２に設けられていてもよい。ここでは、図６を参照して後述するように背景部２２にスピーカが設けられている場合を例に挙げて説明を続ける。
【００７１】
＜背景部の構成＞
図６は、背景部２２の撮影空間Ａ１側の構成例を示す図である。
【００７２】
第１の背面パネルとして構成される背面パネル５１の撮影空間側には、背面パネル５１との間に所定の間隙を形成し、その下端が撮影空間Ａ１の床面から所定の高さより上に設けられる背面パネル１０１が、第２の背面パネルとして配置されている。背面パネル１０１は、背面パネル５１と側面パネル５２Ａ，５２Ｂとの間に閉空間を形成するようにして設けられる。
【００７３】
ここで、以下、背面パネル５１を外側背面パネル５１といい、背面パネル１０１を内側背面パネル１０１ということとする。
【００７４】
内側背面パネル１０１には、その一部として、撮影部２１による撮影により得られる撮影画像の背景となる（背景として写る）背景領域部１１１が形成されている。
【００７５】
背景領域部１１１は、乳白色の平面アクリル板（乳白アクリル板）で構成される。外側背面パネル５１と内側背面パネル１０１との間に形成された間隙（背景領域部１１１の裏側）には、撮影タイミングに合わせて発光するストロボ発光管を有するストロボ発光部が設けられている。
【００７６】
これにより、背景領域部１１１は、撮影タイミングで、その領域全体がぼんやりと白く明るく発光するようになる。
【００７７】
内側背面パネル１０１において、背景領域部１１１の左右両側には、スピーカ１１２−１，１１２−２が設けられている。スピーカ１１２−１，１１２−２は、撮影空間内に向かって撮影処理の案内音声、BGM、効果音などを出力する。以下においては、スピーカ１１２−１，１１２−２をそれぞれ特に区別しない場合には、単にスピーカ１１２という。
【００７８】
＜編集ユニットの構成＞
図７は、編集ユニット１２の正面側（編集空間Ａ２−１側）の構成例を示す図である。
【００７９】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００８０】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００８１】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００８２】
図８は、編集ユニット１２の左側面に設けられる編集ユニット側面パネル６５の構成例を示す図である。
【００８３】
編集ユニット側面パネル６５は、その正面側（印刷待ち空間側）の面を構成する板状部材としてのパネル１５１乃至１５４を有している。
【００８４】
パネル１５１は、編集ユニット側面パネル６５の略上半分を構成する。パネル１５２は、編集ユニット側面パネル６５の略下半分のうちの左右方向中央３分の１弱を構成する。パネル１５３，１５４は、編集ユニット側面パネル６５の略下半分において、パネル１５２の左右それぞれを構成する。
【００８５】
パネル１５２は、編集ユニット１２の左側面の一部を覆う開閉可能なドア部として構成される。パネル１５２を開いた状態の開口部からは、編集ユニット１２の左側面の内部に設けられるプリンタをのぞくことができる。
【００８６】
パネル１５２の中央付近には、最終的に出力されるシール紙を利用者に提供するシール取り出し口１６１が設けられる。編集ユニット１２の左側面の内部に設けられるプリンタにより、編集空間Ａ２−１の利用者が写る画像、または、編集空間Ａ２−２の利用者が写る画像が所定のレイアウトでシール紙に印刷され、シール取り出し口１６１に排出される。
【００８７】
パネル１５２において、シール取り出し口１６１の上方には、例えばシール取り出し口１６１からシール紙が排出されるタイミングで発光する発光部１６２が設けられる。シール取り出し口１６１の下方には、スピーカ１６３が設けられる。スピーカ１６３は、印刷待ち空間にいる利用者に対する案内音声、BGM、効果音などの音を出力する。
【００８８】
＜写真シール作成装置の内部構成＞
図９は、写真シール作成装置１の構成例を示すブロック図である。図９において、上述した構成と同じ構成には同じ符号を付してある。重複する説明については適宜省略する。
【００８９】
図９に示されるように、写真シール作成装置１は、PC(Personal Computer)部３０１に対して、事前選択部３０２、撮影部３０４、編集部３０５Ａ，３０５Ｂ、および印刷部３０６が外部入出力インタフェース３０３を介して接続されることによって構成される。情報処理部であるPC部３０１は、例えば編集ユニット１２の筐体内部に搭載される。
【００９０】
PC部３０１を構成するCPU(Central Processing Unit)３１１、ROM(Read Only Memory)３１２、RAM(Random Access Memory)３１３は、バス３１４により相互に接続される。
【００９１】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【００９２】
バス３１４には、さらに、入出力インタフェース３１５が接続される。入出力インタフェース３１５には、記憶部３１６、通信部３１７、およびドライブ３１８が接続される。
【００９３】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【００９４】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【００９５】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【００９６】
入出力インタフェース３１５には外部入出力インタフェース３０３が接続される。PC部３０１による各部の制御が、外部入出力インタフェース３０３を介して行われる。
【００９７】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【００９８】
タッチパネルモニタ７１は、PC部３０１による制御に従って各種の選択画面を表示し、選択画面に対する利用者の操作を受け付ける。利用者の操作の内容を表す入力信号はPC部３０１に供給され、各種の設定が行われる。
【００９９】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC部３０１に出力する。
【０１００】
撮影部３０４は、撮影空間Ａ１にいる利用者を対象とした撮影処理を実現する。撮影部３０４は、前方照明装置３３１、背面照明装置３３２、カメラ９１、タッチパネルモニタ９２、およびスピーカ１１２から構成される。
【０１０１】
前方照明装置３３１は、撮影空間Ａ１内の各ストロボユニットのうちの撮影部２１に設けられるストロボユニットである。背面照明装置３３２は、撮影空間Ａ１内の各ストロボユニットのうちの背景部２２に設けられるストロボユニットである。前方照明装置３３１と背面照明装置３３２は、PC部３０１から供給される照明制御信号に従って発光する。
【０１０２】
カメラ９１は、PC部３０１によるシャッタ制御に従って撮影を行い、撮影によって得られた撮影画像（画像データ）をPC部３０１に出力する。
【０１０３】
編集部３０５Ａは、編集空間Ａ２−１にいる利用者を対象とした編集処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした編集処理を実現し、編集部３０５Ａと同一の構成を有する。なお、以下、編集部３０５Ａ，３０５Ｂを特に区別しない場合には、単に、編集部３０５という。
【０１０４】
タブレット内蔵モニタ１３１は、PC部３０１による制御に従って編集画面を表示し、編集画面に対する利用者の操作を受け付ける。利用者の操作の内容を表す入力信号はPC部３０１に供給され、編集対象となる撮影画像が編集される。
【０１０５】
印刷部３０６は、プリンタ３５１、シール紙ユニット３５２、スピーカ３５３、および照明装置３５４から構成される。シール紙ユニット３５２はプリンタ３５１に装着される。
【０１０６】
プリンタ３５１は、内蔵するヘッド３６１を駆動し、PC部３０１から供給された印刷データに基づいて、シール紙ユニット３５２に収納されているロール状のシール紙３６３に画像を印刷する。また、プリンタ３５１は、画像を印刷したシール紙３６３をカッター３６２によって所定のカット位置でカットして、シール取り出し口１６１に排出する。
【０１０７】
照明装置３５４は、発光部１６２を発光させるための照明器具であり、蛍光管やＬＥＤ照明により構成される。照明装置３５４は、PC部３０１から供給される照明制御信号に従って発光する。
【０１０８】
＜写真シール作成装置の機能構成例＞
図１０は、写真シール作成装置１の機能構成例を示すブロック図である。図１０に示す機能部のうちの少なくとも一部は、CPU３１１により所定のプログラムが実行されることによって実現される。
【０１０９】
写真シール作成装置１においては、事前選択処理部４０１、撮影処理部４０２、編集処理部４０３、および印刷処理部４０４が実現される。
【０１１０】
事前選択処理部４０１は、事前選択部３０２の各部を制御することで、事前選択処理を実行する。事前選択処理により、撮影に関するコースの選択が行われる。利用者による選択内容を表す情報は撮影処理部４０２に供給される。
【０１１１】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１１２】
編集処理部４０３は、編集部３０５の各部を制御することで編集処理を行う。編集処理には、撮影画像に写る利用者の目の大きさや肌の明るさを調整するための画像処理、撮影画像に対して編集を施すための画像処理などが含まれる。
【０１１３】
編集処理部４０３は、撮影画像の編集を終えた後、編集画像を所定のレイアウトで配置することによって印刷データを生成し、印刷処理部４０４に出力する。
【０１１４】
印刷処理部４０４は、プリンタ３５１に印刷データを出力し、編集画像の印刷を行う。
【０１１５】
＜写真シール作成装置の動作＞
次に、図１１のフローチャートを参照して、写真シール作成ゲームを提供する写真シール作成装置１の動作について説明する。
【０１１６】
ステップＳ１において、事前選択処理部４０１は、所定の金額分の硬貨が投入されたか否かを、硬貨処理部３２１から供給される起動信号に基づいて判定し、硬貨が投入されたと判定するまで待機する。
【０１１７】
ステップＳ１において、硬貨が投入されたと判定された場合、処理はステップＳ２に進む。ステップＳ２において、事前選択処理部４０１は、事前選択部３０２を制御することで、事前選択処理を行う。
【０１１８】
ステップＳ３において、撮影処理部４０２は、撮影部３０４を制御することで、撮影処理を行う。具体的には、撮影処理部４０２は、カメラ９１に取り込まれた被写体の動画像をタッチパネルモニタ９２にライブビュー表示させ、撮影空間Ａ１にいる利用者を被写体として撮影し、撮影画像を生成する。
【０１１９】
本実施の形態による撮影処理においては、複数回の撮影として、被写体の顔および上半身が大きく写る画像であるアップ画像を得るためのアップ撮影のみが行われるものとする。ただし、アップ撮影に加えて、被写体の全身が写る画像である全身画像を得るための全身撮影を行うようにしてもよい。
【０１２０】
ステップＳ４において、編集処理部４０３は、編集空間Ａ２−１と編集空間Ａ２−２のうち、撮影処理を終えた利用者の移動先とした方の編集空間に対応する編集部３０５を制御することで、編集処理を行う。具体的には、編集処理部４０３は、撮影処理により得られた撮影画像に対して利用者に編集作業を行わせることで、編集が施された編集画像を生成する。
【０１２１】
ステップＳ５において、印刷処理部４０４は、プリンタ３５１を制御することで、印刷処理を行う（開始する）。具体的には、印刷処理部４０４は、編集処理により得られた編集画像をプリンタ３５１に出力してシール紙に印刷する。なお、撮影処理により得られた撮影画像が、シール紙に印刷されるようにしてもよい。
【０１２２】
印刷が終了すると、ステップＳ６において、プリンタ３５１は、画像が印刷されたシール紙をシール取り出し口１６１に排出し、処理を終了させる。
【０１２３】
利用者は、シール取り出し口１６１から印刷済みのシール紙を取り出すことで、シール紙を得ることができる。
【０１２４】
＜写真シール作成装置の外装＞
ところで、本実施の形態の写真シール作成装置１は、写真シール作成ゲームをプレイした利用者が、いわゆる「自分撮り」を行いたくなるような外装（筐体）を備えている。
【０１２５】
そこで、図１２を参照して、写真シール作成装置１の外装について説明する。
【０１２６】
図１２に示されるように、編集ユニット側面パネル６５は、印刷待ち空間側の面を構成する板状部材としてのパネル１５１乃至１５４を有している。
【０１２７】
上述したように、パネル１５２の中央付近には、最終的に出力されるシール紙を利用者に提供するシール取り出し口１６１が設けられる。シール紙は、開閉可能なドア部として構成されるパネル１５２の奥に設けられるプリンタから排出される。
【０１２８】
パネル１５１乃至１５４は、それぞれ面一（または略面一）に構成され、パネル１５２に設けられているシール取り出し口１６１を除いて、デザイン性の高いピンク色一色に塗装されている。なお、シール取り出し口１６１は、例えば白色に色付けされている。
【０１２９】
パネル１５２の上方に設けられるパネル１５１は、印刷待ち空間側の面（シール取り出し口１６１と同じ側の面）の略中央に、発光装飾部１７１を有している。
【０１３０】
発光装飾部１７１は、縦に並んだ３つの横書きの文字列「ＰＩＮＫ」、「ＰＩＮＫ」、「ＭＯＮＳＴＥＲ」が発光するようにして構成される。発光装飾部１７１は、パネル１５１から突出することなく、パネル１５１と略面一に、または、パネル１５１表面からくぼんで構成される。パネル１５１内部には、発光装飾部１７１に対応する位置に、発光装飾部１７１を発光させる発光部が内蔵されている。
【０１３１】
本実施の形態の写真シール作成装置１においては、パネル１５１内部の発光装飾部１７１に対応する位置に、発光部が内蔵されるものとするが、発光装飾部１７１を発光させる構成は、これに限られない。例えば、パネル１５１内部にミラーなどの反射板を内蔵し、他の部分に設けられた発光部の光を、反射板の反射により、発光装飾部１７１に誘導するようにしてもよい。また、パネル１５１内部に光拡散部材を内蔵し、他の部分に設けられた発光部の光を、光拡散部材の拡散により、発光装飾部１７１に誘導するようにしてもよい。
【０１３２】
さらに、発光装飾部１７１は、パネル１５１から突出することなく構成されるものとしたが、パネル１５１から突出するように構成されてもよいし、大きく凹むように構成されてもよい。
【０１３３】
なお、「ＰＩＮＫ ＰＩＮＫ ＭＯＮＳＴＥＲ」は、写真シール作成装置１の機種名とされる。
【０１３４】
図中、側面パネル４１Ａの右側には、撮影空間の出入り口を覆うための、ターポリンなどのビニール素材からなるカーテン５１０が取り付けられている。カーテン５１０は、その略上半分を占める不透明部分５１１と、カーテン５１０の略下半分を占める半透明部分５１２から構成される。不透明部分５１１は、パネル１５１乃至１５４と同様、デザイン性の高いピンク色一色に色付けされ、半透明部分５１２は半透明とされる。なお、半透明部分５１２は透明であってもよい。
【０１３５】
図中、側面パネル４１Ａの左側には、編集空間を覆うための、ターポリンなどのビニール素材からなるカーテン５２０が取り付けられている。カーテン５２０は、その略上半分を占める不透明部分５２１と、カーテン５２０の略下半分を占める半透明部分５２２から構成される。不透明部分５２１もまた、パネル１５１乃至１５４と同様、デザイン性の高いピンク色一色に色付けされ、半透明部分５２２は半透明とされる。なお、半透明部分５２２は透明であってもよい。
【０１３６】
なお、カーテン５１０の不透明部分５１１と、カーテン５２０の不透明部分５２１には、発光装飾部１７１と同じデザインの文字列「ＰＩＮＫ」、「ＰＩＮＫ」、「ＭＯＮＳＴＥＲ」からなるロゴが印刷されている。
【０１３７】
さらに、側面パネル４１Ａ自体も、そこに設けられているタッチパネルモニタ７１と硬貨投入返却口７３を除いて、デザイン性の高いピンク色一色に塗装されている。なお、硬貨投入返却口７３は、例えば白色に色付けされている。
【０１３８】
また、図示はしないが、写真シール作成装置１の筐体において、側面パネル４１Ａの反対側の面を構成する側面パネル４１Ｂの左右にも、カーテン５１０，５２０が取り付けられている。また、側面パネル４１Ｂ自体も、デザイン性の高いピンク色一色に色付けされている。
【０１３９】
以上のような構成により、写真シール作成装置１は、全体として直方体状の筐体を有するようになる。したがって、パネル１５１乃至１５４（編集ユニット側面パネル６５）は、直方体状の筐体における１つの側面全体を構成しているということができる。
【０１４０】
図１３は、発光装飾部１７１の詳細な構造について説明する図である。
【０１４１】
図１３には、板金部材５５１、アクリル板５５２、およびパネル筐体５５３が示されている。発光装飾部１７１を有するパネル１５１は、板金部材５５１、アクリル板５５２、およびパネル筐体５５３によって構成される。
【０１４２】
板金部材５５１は、薄く平たい金属で構成されており、縦に並んだ３つの横書きの文字列「ＰＩＮＫ」、「ＰＩＮＫ」、「ＭＯＮＳＴＥＲ」を表す形状の開口部５５１ａを有している。開口部５５１ａは、板金部材５５１を、文字列「ＰＩＮＫ」、「ＰＩＮＫ」、「ＭＯＮＳＴＥＲ」で型抜きするようにして形成される。本実施の形態では、開口部５５１ａは、文字列「ＰＩＮＫ」、「ＰＩＮＫ」、「ＭＯＮＳＴＥＲ」を表す形状とされるが、装飾性の高い形状であればよく、他の文字列を表す形状であってもよいし、所定の図形を表す形状であってもよい。
【０１４３】
アクリル板５５２は、乳白ピンク色で透光性を有し、光を拡散させることのできるアクリル板である。アクリル板５５２は、板金部材５５１に形成されている開口部５５１ａを板金部材５５１の背面（裏側）から覆うようにして取り付けられる。アクリル板５５２は、透明なアクリル板であってもよい。
【０１４４】
パネル筐体５５３は、板金部材５５１側に開口を有する箱状に形成されている。パネル筐体５５３内で、板金部材５５１に形成されている開口部５５１ａに対応する位置には、発光装飾部１７１を発光させる発光部として、横方向に延在する直管型ＬＥＤランプ５６１，５６２が縦に並んで設けられる。
【０１４５】
以上のようにして構成される板金部材５５１、アクリル板５５２、およびパネル筐体５５３を組み合わせることにより、発光装飾部１７１を構成する文字列「ＰＩＮＫ」、「ＰＩＮＫ」、「ＭＯＮＳＴＥＲ」を発光させることができる。直管型ＬＥＤランプ５６１，５６２は白色に発光するが、アクリル板５５２の色によって、発光装飾部１７１を構成する文字列はピンク色に発光する。
【０１４６】
また、アクリル板５５２の色を乳白色とし、直管型ＬＥＤランプ５６１，５６２をピンク色に発光させることで、発光装飾部１７１を構成する文字列をピンク色に発光させるようにしてもよい。もちろん、アクリル板５５２の色を乳白ピンク色とし、さらに、直管型ＬＥＤランプ５６１，５６２をピンク色に発光させるようにしてもよい。いずれの場合であっても、発光装飾部１７１をピンク色に発光させることができる。なお、ここでは、発光装飾部１７１をピンク色に発光させる例を示したが、白色やピンク色の補色である緑色系の色など、他の色で発光装飾部１７１を発光させるようにしてもよい。
【０１４７】
また、発光装飾部１７１は、その中心が、少なくとも写真シール作成装置１の筐体の高さの半分より上の位置になるように設けられる。より具体的には、発光装飾部１７１は、その中心が、写真シール作成装置１の主な利用者である女子中高生の顔の高さ近傍の位置になるように設けられる。
【０１４８】
さらに、発光装飾部１７１の大きさは、図１４に示されるように、ユーザＵ１が、携帯端末ＳＰを用いて、シール取り出し口１６１が設けられている面を背景に自分撮りを行う場合に、携帯端末ＳＰに内蔵されているカメラの撮影範囲ＳＲに収まるサイズとされる。
【０１４９】
以上の構成によれば、シール取り出し口が設けられている面において、ピンク色一色の中で、利用者自身がゲームをプレイした写真シール機の機種名を表す文字列を、利用者の顔と略同じ高さの位置で、写真写り良く、浮かび上がるように光らせることができる。
【０１５０】
したがって、シール取り出し口が設けられている面を背景に自分撮りを行う際に、モアレが発生するようなモニタや、写真写りが良いとはいえない広告を背景にすることなく、利用者にＳＮＳ映えした写真を撮影する機会を与えることが可能となる。
【０１５１】
利用者は、ピンク色一色の中で浮かび上がるように光る文字列を、自身の顔の横に収めるようにして、自分撮りを行うことができるので、得られた画像を、ＳＮＳ上で他人から高評価を得られるようなものとすることができる。さらには、その画像に対してＳＮＳ上で高評価を与えた他人を、その画像に写る写真シール作成装置１で実際にプレイしたくなるような気持ちにさせることもできる。
【０１５２】
また、写真シール機は、アミューズメント施設等の通路側に、シール取り出し口が設けられている面を向けて設置されることが多い。そのため、発光装飾部１７１を、シール取り出し口１６１が設けられている面に設けることで、自分撮りを行うスペースを確保でき、かつ、シール紙の印刷が終了するまでの待ち時間を自分撮りに充てることができるので、利用者が自分撮りを行いやすくすることができる。
【０１５３】
＜筐体の形状について＞
上述したように、発光装飾部１７１は、パネル１５１から突出することなく、パネル１５１と略面一に構成される。
【０１５４】
また、発光装飾部１７１が設けられている側面と隣り合う側面の一部は、事前選択部２０を備える側面パネル４１Ａから構成される。事前選択部２０として、側面パネル４１Ａに設けられるタッチパネルモニタ７１、スピーカ７２、および硬貨投入返却口７３は、いずれも側面パネル４１Ａの表面から突出することなく構成される。
【０１５５】
さらに、図１５に示されるように、背面パネル５１側の外観も、背面パネル５１の上部に切欠きなどのない直方体形状をなしている。
【０１５６】
図１５には、側面パネル４１Ｂ側の面が示されており、側面パネル４１Ｂの左右にも、カーテン５１０，５２０が取り付けられている。また、図１５においては、背面パネル５１に、その全体を覆うように、ターポリンなどのビニール素材からなるカーテン５７１が取り付けられている。
【０１５７】
カーテン５７１は、その高さの略中央（カーテン５１０の不透明部分５１１と透明部分５１２の境界と同じ高さ）を境界にして、上側をピンク色、下側を白色に色付けされている。これにより、写真シール作成装置１の外観を、筐体の側面を構成する４面に同じ高さで周回する線が入ったデザインとすることができる。
【０１５８】
これらのカーテン５１０，５２０，５７１は、写真シール作成装置１の側面ではなく、その天面で固定されている。
【０１５９】
例えば、図１６に示されるように、カーテン５１０の上半分を占める不透明部分５１１の上端と、カーテン５７１の上端は、天井シート２４が設けられる天井において、ねじなどの固定具Ｓｃによって固定されている。
【０１６０】
また、図１７に示されるように、パネル１５２に設けられるシール取り出し口１６１には、フラップ１６１Ｆが設けられている。フラップ１６１Ｆは、その上端部が、シール取り出し口１６１の上端部に取り付けられている。フラップ１６１Ｆは、その上端部を軸として、その下端部がシール取り出し口１６１の内側（奥）に押し込まれるように可動する。
【０１６１】
すなわち、シール取り出し口１６１は、フラップ１６１Ｆがパネル１５２から突出しないように構成されている。
【０１６２】
以上のように、写真シール作成装置１の外装から凹凸（特に突出する部材）を少なく、または見えないようにし、筐体全体を純粋な直方体形状に近づけるようにすることで、写真シール作成装置１の外観を、直方体のモニュメントのような見た目にすることができる。特に、突出する部材を少なくすることにより、筐体全体を、フラットでシンプルな印象を与えつつ、発光装飾部１７１を目立たせる外観とすることができる。
【０１６３】
このような構成により、シール取り出し口が設けられている面を背景に自分撮りを行うだけでなく、写真シール機のみを被写体とした写真を撮影した場合であっても、得られた画像を、ＳＮＳ上で他人から高評価を得られるようなものとすることができる。
【０１６４】
もちろん、シール取り出し口が設けられている面に設けられた発光装飾部の存在により、写真シール機を、より撮影したくなるような被写体とすることができる。したがって、シール取り出し口が設けられている面を撮影することで、得られた画像を、ＳＮＳ上で他人から高評価を得られるようなものとすることができる。
【０１６５】
さらに、シール取り出し口が設けられている面を背景に自分撮りを行う場合であっても、写真シール機の筐体から突出する部材が撮影範囲に入ることなく、得られた画像を、発光装飾部の発光が映える画像とすることができ、ＳＮＳ上で他人から高評価を得られるようなものとすることができる。
【０１６６】
＜筐体の色について＞
上述したように、本実施の形態の写真シール作成装置１は、タッチパネルモニタ７１、硬貨投入返却口７３、シール取り出し口１６１、カーテン５１０，５２０の半透明部分５１２，５２２、さらにはロゴを除いて、全体的にデザイン性の高いピンク色で統一されている。
【０１６７】
これにより、写真シール作成装置１のみを被写体とした写真を撮影した場合であっても、得られた画像を、ＳＮＳ映えした写真とすることができる。
【０１６８】
また、パネル１５１乃至１５４や、側面パネル４１Ａ，４１Ｂの表面は、マット塗装（つや消し塗装）されており、光の反射を抑えるようになされている。
【０１６９】
これにより、写真シール作成装置１が設置されている施設において、照明がどのようなに配置されていても、発光装飾部１７１が設けられている面を背景に自分撮りを行ったり、写真シール作成装置１のみを被写体とした写真を撮影する際に、照明光の反射による白飛びを抑えることができる。
【０１７０】
さらに、パネル１５１乃至１５４や、側面パネル４１Ａ，４１Ｂに限らず、カーテン５１０，５２０，５７１の表面に、つや消し加工が施されるようにしてもよい。これにより、写真シール作成装置１のみを被写体とした写真を撮影する際に、より確実に、照明光の反射による白飛びを抑えることができる。
【０１７１】
また、硬貨投入返却口７３とシール取り出し口１６１が、ピンク色とは異なる白色に色付けされるようにすることで、これらを目立たせ、利用者が硬貨を投入したり、シール紙を取り出したりする、利用者が手を触れる部分であることを、利用者に認識させることができる。
【０１７２】
なお、本実施の形態の写真シール作成装置１は、全体的にデザイン性の高いピンク色で統一されるようにしたが、例えば、青色や黒色などの他の色で統一されるようにしてもよい。
【０１７３】
＜外観のデザインについて＞
本実施の形態の写真シール作成装置１においては、その外観に、所定の大きさの正方形にデザインされた要素が複数含まれている。
【０１７４】
具体的には、図１８に示されるように、発光装飾部１７１を構成する、縦に並んだ３つの横書きの文字列「ＰＩＮＫ」、「ＰＩＮＫ」、「ＭＯＮＳＴＥＲ」は、正方形ＳＱ１に収まるようにデザインされている。
【０１７５】
また、側面パネル４１Ａに設けられるタッチパネルモニタ７１を囲むカバーは、正方形ＳＱ２にデザインされている。なお、タッチパネルモニタ７１の表示領域自体も、正方形にデザインされている。
【０１７６】
さらに、カーテン５１０の不透明部分５１１は、正方形ＳＱ３にデザインされており、カーテン５２０の不透明部分５２１は、正方形ＳＱ４にデザインされている。なお、発光装飾部１７１と同様、不透明部分５１１，５２１に印刷されている「ＰＩＮＫ」、「ＰＩＮＫ」、「ＭＯＮＳＴＥＲ」からなるロゴもまた、正方形にぴったりと収まるようにデザインされている。
【０１７７】
近年のＳＮＳにおいては、アップロードされた画像の一覧や個々の画像が、正方形状で表示されることが多い。したがって、正方形にデザインされた要素を含む写真シール作成装置１を撮影した画像をＳＮＳにアップロードした場合、その画像自体も正方形状で表示されるので、画像全体をまとまりのある見た目とすることができる。ひいては、その画像を、ＳＮＳ上で他人から高評価を得られるようなものとすることができる。
【０１７８】
また、本実施の形態の写真シール作成装置１においては、その外観に、直方体形状の側面を上下に二分する線が含まれている。
【０１７９】
具体的には、図１９に示されるように、写真シール作成装置１は、パネル１５１とパネル１５２，１５３，１５４との境界、カーテン５１０の不透明部分５１１と半透明部分５１２との境界、カーテン５２０の不透明部分５２１と半透明部分５２２との境界、そして側面パネル４１Ａに設けられるタッチパネルモニタ７１を囲むカバーの下端が、いずれも、写真シール作成装置１の設置面と水平な線ＢＬに沿うように構成される。さらには、カーテン５７１もまた、それに色付けられたピンク色と白色の境界が、線ＢＬに沿うように構成される。
【０１８０】
すなわち、写真シール作成装置１の外観は、ふたをかぶせた箱のような見た目、または、２つのブロックを上下に積み上げたような見た目のデザインとなる。
【０１８１】
これにより、写真シール作成装置１のみを被写体とした写真を撮影した場合であっても、得られた画像を、ＳＮＳ映えした写真とすることができる。
【０１８２】
なお、写真シール作成装置１の筐体の色として、例えば、線ＢＬより上側の筐体の色をピンク色とし、線ＢＬより下側の筐体の色を白色とするなど、線ＢＬを境界に異なる色が配色されるようにしてもよい。
【０１８３】
＜変形例＞
以下においては、本実施の形態の変形例について説明する。
【０１８４】
（発光装飾部の位置）
発光装飾部１７１は、その中心が、写真シール作成装置１の主な利用者である女子中高生の顔の高さ近傍の位置にあればよい。
【０１８５】
したがって、図２０に示されるように、シール取り出し口１６１が設けられている面からみてパネル１５１の左寄りに、発光装飾部１７１ａが設けられるようにしてもよい。また、図２１に示されるように、シール取り出し口１６１が設けられている面からみてパネル１５１の右寄りに、発光装飾部１７１ｂが設けられるようにしてもよい。
【０１８６】
さらに、以上においては、シール取り出し口１６１が、パネル１５２の中央付近に設けられるものとしたが、パネル１５２の中央より下方に設けられるようにしてもよい。この場合、図２２に示されるように、パネル１５２においてシール取り出し口１６１より上方に、発光装飾部１７１ｃが設けられるようにしてもよい。
【０１８７】
図２２のような構成であっても、利用者が、シール取り出し口１６１が設けられている面を背景に自分撮りを行う際に、腕を上に伸ばして携帯端末を高い位置に掲げることで、発光装飾部１７１ｃを、その携帯端末による撮影範囲に収めることができる。
【０１８８】
（編集ユニット側面パネルの構成）
以上においては、シール取り出し口１６１が設けられている面全体を構成する編集ユニット側面パネル６５は、４枚のパネル１５１乃至１５４から構成されるものとした。
【０１８９】
これに限らず、例えば、図２３に示されるように、シール取り出し口１６１が設けられている面全体を構成する編集ユニット側面パネル６５が、２枚のパネル５８１，５８２から構成されるようにしてもよい。
【０１９０】
パネル５８１の中央付近には、シール取り出し口１６１が設けられ、パネル５８１の上方に設けられるパネル５８２は、発光装飾部１７１を有している。パネル５８１，５８２は、それぞれ面一（または略面一）に構成されるものとするが、面一に構成されていなくともよい。この場合、パネル５８２内部には、発光装飾部１７１に対応する位置に、発光装飾部１７１を発光させる発光部が内蔵される。
【０１９１】
また、図２４に示されるように、シール取り出し口１６１が設けられている面全体を構成する編集ユニット側面パネル６５が、１枚のパネル５９１から構成されるようにしてもよい。
【０１９２】
パネル５９１の中心より下方には、シール取り出し口１６１が設けられ、シール取り出し口１６１の上方（パネル５９１の中央より上方）には、発光装飾部１７１が設けられる。この場合、パネル５９１内部には、発光装飾部１７１に対応する位置に、発光装飾部１７１を発光させる発光部が内蔵される。
【０１９３】
以上のような構成であっても、利用者にＳＮＳ映えした写真を撮影する機会を与えることが可能となる。
【０１９４】
従来、シール取り出し口が設けられている面に、シール紙の印刷が終了するまでの待ち時間に利用者に対してゲームなどを提供する事後接客モニタが、突出して設けられている写真シール機がある。このような写真シール機であっても、シール取り出し口が設けられている面におけるシール取り出し口の上方に、発光装飾部を設けるようにすることで、利用者にＳＮＳ映えした写真を撮影する機会を与えることが可能となる。
【０１９５】
上述した実施の形態では、写真シール作成装置１は、得られた撮影画像や編集画像をシール紙に印刷するとともに、画像取得サイト管理サーバに送信することで利用者の携帯端末に提供する構成を採るものとした。これに限らず、撮影画像や編集画像をシール紙に印刷せずに、画像取得サイト管理サーバに送信することで利用者の携帯端末に提供するのみの構成を採ることも可能である。また逆に、撮影画像や編集画像を画像取得サイト管理サーバに送信せずに、シール紙に印刷するのみの構成を採ることも可能である。
【０１９６】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０１９７】
この記録媒体は、例えば、図９に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア３１９により構成される。また、これらだけでなく、記録媒体は、装置本体にあらかじめ組み込まれた状態で管理者に配信されるプログラムが記録されているROM３１２や、記憶部３１６に含まれるハードディスクなどで構成される。
【０１９８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１９９】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２００】
また、本技術の実施の形態は、上述した実施の形態に限定されるものではなく、本技術の要旨を逸脱しない範囲において種々の変更が可能である。
【０２０１】
なお、本明細書に記載された効果はあくまで例示であって限定されるものではなく、他の効果があってもよい。
【符号の説明】
【０２０２】
１  写真シール作成装置
１１  撮影ユニット
１２  編集ユニット
２０  事前選択部
２１  撮影部
２２  背景部
６５  編集ユニット側面パネル
１５１  パネル
１５２  パネル
１６１  シール取り出し口
１７１  発光装飾部
５６１，５６２  直管型ＬＥＤランプ
【図１】
2019184964.tif 000003
【図２】
2019184964.tif 000004
【図３】
2019184964.tif 000005
【図４】
2019184964.tif 000006
【図５】
2019184964.tif 000007
【図６】
2019184964.tif 000008
【図７】
2019184964.tif 000009
【図８】
2019184964.tif 000010
【図９】
2019184964.tif 000011
【図１０】
2019184964.tif 000012
【図１１】
2019184964.tif 000013
【図１２】
2019184964.tif 000014
【図１３】
2019184964.tif 000015
【図１４】
2019184964.tif 000016
【図１５】
2019184964.tif 000017
【図１６】
2019184964.tif 000018
【図１７】
2019184964.tif 000019
【図１８】
2019184964.tif 000020
【図１９】
2019184964.tif 000021
【図２０】
2019184964.tif 000022
【図２１】
2019184964.tif 000023
【図２２】
2019184964.tif 000024
【図２３】
2019184964.tif 000025
【図２４】
2019184964.tif 000026